(57)【特許請求の範囲】
【請求項１】
非接触個人識別媒体との通信を行うためのアンテナと、
複数のスイッチを含む認証付随情報入力用のスイッチ部と、
上記アンテナ及び上記スイッチ部が設けられ、上記アンテナ及び上記スイッチ部と電気的に接続されたプリント配線板と、
上記プリント配線板を保持するベースパネルと、
上記ベースパネルに取り付けられ上記スイッチ部を外部から覆い隠す第１の前面パネル、及び上記複数のスイッチに対応して設けられ外部から押圧されることにより対応する上記スイッチを押圧する複数のキートップを有し上記ベースパネルに取り付けられる第２の前面パネルのうちのいずれか一方の前面パネルと
を備え、
上記ベースパネルには、上記第１の前面パネル及び上記第２の前面パネルにそれぞれ設けられた第１の前面パネル側係合部及び第２の前面パネル側係合部と係合可能なベースパネル側係合部が設けられ、
上記ベースパネルは、上記第１の前面パネル側係合部及び上記第２の前面パネル側係合部のいずれか一方の前面パネル側係合部と上記ベースパネル側係合部とが係合することにより、その前面パネル側係合部が設けられた上記前面パネルを保持する
ことを特徴とする非接触個人識別媒体用の通信装置。
【請求項２】
上記プリント配線板は、上記スイッチ部が設けられた表面の一部が上記ベースパネルに当接するように上記ベースパネルに保持される
ことを特徴とする請求項１記載の非接触個人識別媒体用の通信装置。
【請求項３】
上記ベースパネルに取り付けられた状態の上記第１の前面パネルにおける上記スイッチ部と対向する面と上記スイッチ部との間の距離と、
上記ベースパネルに取り付けられた状態の上記第２の前面パネルにおける上記スイッチ部と対向する面と上記スイッチ部との間の距離とは、互いに等しく、
上記キートップの上記スイッチ部側の端部は、上記第２の前面パネルにおける上記スイッチ部と対向する面よりも上記スイッチ部側に突出している
ことを特徴とする請求項１又は請求項２に記載の非接触個人識別媒体用の通信装置。
【請求項４】
上記スイッチ部は、上記プリント配線板の中央部に配置されており、
上記アンテナは、上記スイッチ部を囲むように上記スイッチ部の周囲に配置されている
ことを特徴とする請求項１〜請求項３のいずれかに記載の非接触個人識別媒体用の通信装置。
【発明の詳細な説明】
【技術分野】
【０００１】
この発明は、管理区画等の入り口に設けられ、例えば非接触ＩＣカード等の利用者の個人識別情報が格納された非接触個人識別媒体との通信を行う非接触個人識別媒体用の通信装置に関するものである。
【背景技術】
【０００２】
従来の非接触ＩＣカードリーダでは、カードリーダ本体に内蔵されたアンテナによって、利用者が所持する非接触ＩＣカードが読み取られる。これとともに、アンテナの前面に設けられたキー入力操作器（テンキィ）によって、暗証番号等が利用者により入力される（例えば、特許文献１参照）。
【０００３】
【特許文献１】特開２００５−９２６３７号公報
【発明の開示】
【発明が解決しようとする課題】
【０００４】
近年、設置場所のデザインに適合した表面意匠（例えばテンキィの有無、及び色彩等）のカードリーダの要望が高まっている。そのため、カードリーダの受注後（カードリーダの設置後）であっても、設置依頼主から表面意匠の変更依頼を受けることがある。
しかしながら、上記のような従来の非接触ＩＣカードリーダでは、表面意匠の異なる前面パネルに交換する場合、キー入力操作器及びマトリクス回路が前面パネル側に取り付けられており、前面パネルの分解及び配線の作業が必要なため、前面パネル交換の作業効率が低下していた。
【０００５】
この発明は、上記のような課題を解決するためになされたものであり、表面意匠が変更される場合に、前面パネル交換の作業効率を向上させることができ、容易に表面意匠を変更することができる非接触個人識別媒体用の通信装置を得ることを目的とする。
【課題を解決するための手段】
【０００６】
この発明に係る非接触個人識別媒体用の通信装置は、非接触個人識別媒体との通信を行うためのアンテナと、複数のスイッチを含む認証付随情報入力用のスイッチ部と、上記アンテナ及び上記スイッチ部が設けられ、上記アンテナ及び上記スイッチ部と電気的に接続されたプリント配線板と、上記プリント配線板を保持するベースパネルと、上記ベースパネルに取り付けられ上記スイッチ部を外部から覆い隠す第１の前面パネル、及び上記複数のスイッチに対応して設けられ外部から押圧されることにより対応する上記スイッチを押圧する複数のキートップを有し上記ベースパネルに取り付けられる第２の前面パネルのうちのいずれか一方の前面パネルとを備え、上記ベースパネルには、上記第１の前面パネル及び上記第２の前面パネルにそれぞれ設けられた第１の前面パネル側係合部及び第２の前面パネル側係合部と係合可能なベースパネル側係合部が設けられ、上記ベースパネルは、上記第１の前面パネル側係合部及び上記第２の前面パネル側係合部のいずれか一方の前面パネル側係合部と上記ベースパネル側係合部とが係合することにより、その前面パネル側係合部が設けられた上記前面パネルを保持する。
【発明の効果】
【０００７】
この発明の非接触個人識別媒体用の通信装置によれば、ベースパネルには、第１の前面パネル及び第２の前面パネルにそれぞれ設けられた第１の前面パネル側係合部及び第２の前面パネル側係合部と係合可能なベースパネル側係合部が設けられ、ベースパネルは、第１の前面パネル側係合部及び第２の前面パネル側係合部のいずれか一方の前面パネル側係合部とベースパネル側係合部とが係合することにより、その前面パネル側係合部が設けられた前面パネルを保持するので、前面パネル交換の作業効率を向上させることができ、容易に表面意匠を変更することができる。
【発明を実施するための最良の形態】
【０００８】
以下、この発明を実施するための最良の形態について、図面を参照して説明する。
実施の形態１．
図１は、この発明の実施の形態１による非接触個人識別媒体用の通信装置の一部を示す正面図である。図２は、図１のＩＩ−ＩＩ線に沿う断面図である。
図において、ベースパネル本体（後ベースパネル）１は、複数のねじ（図示せず）により壁に取り付けられている。ベースパネル本体１には、複数のベース取付孔１ａが設けられている。ベースパネル本体１の外周には、中間パネル（前ベースパネル）２が嵌合されている。
【０００９】
中間パネル２は、ベースパネル本体１の表面に対向する複数の対向部２ａを有している。対向部２ａは、ベース取付孔１ａの位置の周辺を覆うように配置されている。また、対向部２ａのベース取付孔１ａに対応する位置には、ねじ孔２ｂが設けられている。ねじ孔２ｂには、ねじ３が螺着されている。また、中間パネル２の両側面には、中間パネル２を覆う第１及び第２の前面パネル１０，１１（図１，２中示さず）が取り付けられるための取付溝２ｃが設けられている。
【００１０】
中間パネル２とベースパネル本体１との間には、プリント配線板４が取り付けられている。プリント配線板４は、対向部２ａに表面を当接されている。プリント配線板４のねじ孔２ｂに対応する位置には、配線板取付孔４ａが設けられている。ここで、ねじ３がベースパネル本体１の裏面からベース取付孔１ａ及び配線板取付孔４ａを貫通してねじ孔２ｂへ螺着されることによって、ベースパネル本体１と中間パネル２とプリント配線板４とが、通信装置の一部である通信装置本体を構成している。
【００１１】
プリント配線板４の表面の中央部には、利用者の個人識別情報に付随した情報である認証付随情報（例えばパスワード等）の入力用のスイッチ部５ａが設けられている。スイッチ部５ａには、複数のスイッチ５が設けられている。また、プリント配線板４の表面には、複数のＬＥＤ６が設けられている。さらに、プリント配線板４の表面には、非接触個人識別媒体としての非接触ＩＤカードとの通信を行うためのアンテナ７が、スペーサ８を介して取り付けられている。アンテナ７及びスペーサ８は、スイッチ部５ａを囲むように（ドーナツ状に）、スイッチ部５ａの周囲に配置されている。
【００１２】
さらに、プリント配線板４の裏面には、スイッチ５、ＬＥＤ６及びアンテナ７に接続された通信制御回路（半導体部品等）９が設けられている。通信制御回路９は、アンテナ７を介して、非接触ＩＤカードとの通信を行う。また、通信制御回路９は、非接触ＩＤカードに格納された利用者の個人識別情報を読み取る。さらに、通信制御回路９は、スイッチ部５ａの利用者による操作を監視し、認証付随情報を取得する。さらにまた、通信制御回路９は、ＬＥＤ６を点灯させて、利用者に個人識別情報の読取結果、及び認証付随情報の入力結果等を知らせる。
【００１３】
ここで、図１の通信装置本体は、認証付随情報が利用者により入力されない仕様の通信装置と、認証付随情報が利用者により入力される仕様の通信装置との２種類の通信装置として用いられる。つまり、中間パネル２には、前面パネルとしての第１及び第２の前面パネル１０，１１が選択的に取り付けられる。第１の前面パネル１０とは、スイッチ部５ａを覆い、かつキートップ１２が取り付けられていない前面パネルである。第２の前面パネルとは、キートップ１２が取り付けられた前面パネルである。
【００１４】
次に、認証付随情報が利用者により入力されない仕様の通信装置について説明する。図３は、図１の中間パネル２に第１の前面パネル１０を取り付けた状態を示す正面図である。図４は、図３のＩＶ−ＩＶ線に沿う断面図である。図において、中間パネル２には、プリント配線板４を覆う第１の前面パネル１０が設けられている。第１の前面パネル１０の裏面の端部の近傍には、爪状の突起部１０ａが設けられている。第１の前面パネル１０は、突起部１０ａが取付溝２ｃに係合されることによって、中間パネル２に取り付けられ、脱着可能となっている。また、第１の前面パネル１０のＬＥＤ６に対応する位置には、光透過部１３が設けられている。光透過部１３により、ＬＥＤ６から出力された光は、通信装置本体の外部に照射される。従って、各スイッチ５は、第１の前面パネル１０によって塞がれており、利用者による操作を受けない。
【００１５】
一方、認証付随情報が利用者により入力される仕様の通信装置について説明する。図５は、図１の中間パネル２に第２の前面パネル１１を取り付けた状態を示す正面図である。図６は、図５のＶＩ−ＶＩ線に沿う断面図である。図において、中間パネル２には、プリント配線板４を覆う第２の前面パネル１１が設けられている。第２の前面パネル１１の裏面の端部の近傍には、爪状の突起部１１ａが設けられている。第２の前面パネル１１は、突起部１１ａが取付溝２ｃに係合されることによって、中間パネル２に取り付けられ、脱着可能となっている。第２の前面パネル１１の各スイッチ５に対応する位置には、利用者に押圧されるキートップ１２が取り付けられている。従って、キートップ１２が利用者により押圧されることにより、スイッチ５が操作される。第２の前面パネル１１の他の構成は、第１の前面パネル１０と同様である。
【００１６】
上記のような非接触個人識別媒体用の通信装置では、スイッチ部及びアンテナが設けられたプリント配線板がベースパネルに取り付けられており、前面パネルがベースパネルに脱着可能であるので、表面意匠が変更される場合に、前面パネルの分解及び配線の作業が省略されることにより、前面パネル交換の作業効率を向上させることができ、容易に表面意匠を変更することができる。
【００１７】
また、キートップが取り付けられていない第１の前面パネル、及びキートップが取り付けられた第２の前面パネルが選択的に中間パネルに取り付けられるので、製品出荷直前（製品取付後）であっても、容易に通信装置の仕様を変更することができる。
【００１８】
さらに、従来の非接触ＩＣカードリーダでは、設置依頼主からの表面意匠の変更に対応させるために、複数の表面意匠の通信装置を在庫しておく必要があったが、上記のような非接触個人識別媒体用の通信装置では、同一の通信装置本体を用いて前面パネルの交換によって仕様が変更されるので、生産効率を向上させることができるとともに、表面意匠毎の前面パネルを在庫しておけばよいので、在庫点数（棚残点数）を削減することができる。
【００１９】
なお、実施の形態１では、中間パネル２にプリント配線板４を取り付けていたが、ベースパネルにプリント配線板を直接取り付けてもよい。しかしながら、プリント配線板には、例えば厚さ寸法が１．６ｍｍの場合に、±０．２ｍｍの誤差が含まれており、製造時期（製造ロット）毎の厚さ寸法にばらつきが生じる。そして、プリント配線板をベースパネルに直接取り付けた場合、このプリント配線板の厚さ寸法のばらつきによって、利用者によるスイッチ押圧時のクリック感が通信装置の個体毎で異なるという問題が生じる。この問題に対して、実施の形態１の非接触個人識別媒体用の通信装置では、プリント配線板の表面が中間パネルの対向部に当接されているので、キートップとスイッチとの間の間隔を一定にすることができ、プリント配線板の厚さ寸法のばらつきを無視することができる。これによって、利用者によるスイッチ押圧時のクリック感を一定にさせることができる。
【００２０】
また、実施の形態１では、非接触個人識別媒体として非接触ＩＤカードを用いたが、非接触ＩＤカードに限るものではなく、個人識別情報を格納できるものであれば、例えば携帯電話、鍵、及びＩＣチップ内蔵の媒体等を用いてもよい。
【図面の簡単な説明】
【００２１】
【図１】この発明の実施の形態１による非接触個人識別媒体用の通信装置の一部を示す正面図である。
【図２】図１のＩＩ−ＩＩ線に沿う断面図である。
【図３】図１の中間パネルに第１の前面パネルを取り付けた状態を示す正面図である。
【図４】図３のＩＶ−ＩＶ線に沿う断面図である。
【図５】図１の中間パネルに第２の前面パネルを取り付けた状態を示す正面図である。
【図６】図５のＶＩ−ＶＩ線に沿う断面図である。
【符号の説明】
【００２２】
１  ベースパネル本体、２  中間パネル、２ａ  対向部、４  プリント配線板、５ａ  スイッチ部、７  アンテナ、１０，１１  第１及び第２の前面パネル（前面パネル）、１２  キートップ。
【図１】
0004575319.tif 000002
【図２】
0004575319.tif 000003
【図３】
0004575319.tif 000004
【図４】
0004575319.tif 000005
【図５】
0004575319.tif 000006
【図６】
0004575319.tif 000007